(57)【要約】【課題】間仕切パネルの建て付け強度を向上させるとともに、建て付け後におけるパネル材の取外し交換作業を容易にし、さらに美観の向上を図った間仕切パネル装置を提供する。【解決手段】上下１対の横フレーム１２，１３と左右１対の側フレーム１４，１４並びに中間フレーム１５により、複数の矩形枠１６，１７を上下に形成したパネル枠体１１を、左右の支柱８，８間に建て付けるとともに、各矩形枠１６，１７の前後両面に、パネル基材２１を外枠材２２の前後方向の外側端部に保持させて形成したパネル材２０をそれぞれ取り付けることによって間仕切パネル装置Ｐを構成する。【選択図】    図２
2005036430.tif 000002
【特許請求の範囲】
【請求項１】
上下１対の横フレームと左右１対の側フレーム並びに中間フレームにより、複数の矩形枠を上下に形成したパネル枠体を、左右の支柱間に建て付けるとともに、前記各矩形枠の前後両面に、パネル基材を外枠材の前後方向の外側端部に保持させて形成したパネル材をそれぞれ取り付けたことを特徴とする間仕切パネル装置。
【請求項２】
前記支柱の前後方向における幅寸法を、前記矩形枠の前後両面に取り付けた前記パネル材におけるパネル面間の厚さ寸法とほぼ同一とした請求項１記載の間仕切パネル装置。
【請求項３】
前記中間フレームにおける前後方向の両端部を、前記パネル枠体の前後面とほぼ同一面をなすように延出させて、前記各矩形枠を前後対称に形成した請求項１または２記載の間仕切パネル装置。
【請求項４】
前記中間フレームにおける前後方向の片側端部のみを、前記パネル枠体の前後面のいずれか一方とほぼ同一面をなすように延出させて、前記各矩形枠を前後非対称に形成した請求項１または２記載の間仕切パネル装置。
【請求項５】
前記中間フレームにおける前記パネル枠体の前後面とほぼ同一面をなす端部を、前記パネル材のパネル面とほぼ同一面上の位置まで延出させ、かつ上下に隣接する前記パネル材との間に間隔を設けるとともに、前記間隔に、前記端部に挟着させるオプション部材の取付端部を挿入可能とした請求項１〜４のいずれか記載の間仕切パネル装置。
【請求項６】
前記中間フレームの端部に、前記オプション部材の取付端部を保持する係合溝を、前記パネル枠体の左右方向に沿って形成した請求項５記載の間仕切パネル装置。
【発明の詳細な説明】
【０００１】
【発明の属する技術分野】
本発明は、間仕切パネル装置に係り、特にその建て付け強度および美観性を向上させる技術に関する。
【０００２】
【従来の技術】
間仕切パネル装置は、例えば、本願出願人が先に出願し公開された特許文献１および特許文献２に示されているように公知である。
【０００３】
特許文献１に開示された間仕切パネル装置は、パネル枠体の前後両面における１対のパネル材間に支柱を介在させて、パネル枠体の建て付けがなされている。
【０００４】
特許文献２に開示された間仕切パネルは、パネル枠体の側面に形成した嵌合溝に、支柱の突条を嵌め込んでビス止めすることにより、建て付けがなされている。
【０００５】
【特許文献１】
特開平１０−１０２６４８号公報（図１、図４参照）
【特許文献２】
特開平９−２４２２２８号公報（図１、図３参照）
【０００６】
【発明が解決しようとする課題】
前記特許文献１における間仕切パネル装置では、支柱の前後方向における幅寸法が、間仕切パネル装置の前後方向における厚さ寸法よりも小さくなっている。そのため、支柱の強度が必ずしも充分でない場合がある。
【０００７】
特許文献２における間仕切パネル装置では、支柱の前後方向の両端面が外部に露出するとともに、パネル枠体とパネル面との間に段差が生じている。そのため、フラット感が乏しいという問題がある。
【０００８】
本発明は、間仕切パネルの建て付け後におけるパネル材の取外し交換作業を容易にするとともに、建て付け強度を向上させ、かつパネル材におけるパネル面と、支柱との間に段差を生じさせないようにすることによって、美観の向上を図った間仕切パネル装置を提供することを目的とする。
【０００９】
【課題を解決するための手段】
本発明によると、前記課題は、次のようにして解決される。
（１）  上下１対の横フレームと左右１対の側フレーム並びに中間フレームにより、複数の矩形枠を上下に形成したパネル枠体を、左右の支柱間に建て付けるとともに、前記各矩形枠の前後両面に、パネル基材を外枠材の前後方向の外側端部に保持させて形成したパネル材をそれぞれ取り付けた間仕切パネル装置とする。
【００１０】
（２）  前記（１）項において、前記支柱の前後方向における幅寸法を、前記矩形枠の前後両面に取り付けた前記パネル材におけるパネル面間の厚さ寸法とほぼ同一とする。
【００１１】
（３）  前記（１）または（２）項において、前記中間フレームにおける前後方向の両端部を、前記パネル枠体の前後面とほぼ同一面をなすように延出させて、前記各矩形枠を前後対称に形成する。
【００１２】
（４）  前記（１）または（２）項において、前記中間フレームにおける前後方向の片側端部のみを、前記パネル枠体の前後面のいずれか一方とほぼ同一面をなすように延出させて、前記各矩形枠を前後非対称に形成する。
【００１３】
（５）  前記（１）〜（４）項のいずれかにおいて、前記中間フレームにおける前記パネル枠体の前後面とほぼ同一面をなす端部を、前記パネル材のパネル面とほぼ同一面上の位置まで延出させ、かつ上下に隣接する前記パネル材との間に間隔を設けるとともに、前記間隔に、前記端部に挟着させるオプション部材の取付端部を挿入可能とする。
【００１４】
（６）  前記（５）項において、前記中間フレームの端部に、前記オプション部材の取付端部を保持する係合溝を、前記パネル枠体の左右方向に沿って形成する。
【００１５】
【発明の実施の形態】
図１は、本発明の第１実施形態の間仕切パネル装置による室内の間仕切状態を示す斜視図である。図２は、要部分解斜視図である。図３、図４、図６、図７，図９は、それぞれ図１におけるＩＩＩ−ＩＩＩ線、ＩＶ−ＩＶ線、ＶＩ−ＶＩ線、ＶＩＩ−ＶＩＩ線、ＩＸ−ＩＸ線拡大断面図である。図５、図８は、それぞれ図４、図７における要部拡大断面図である。なお、図３における紙面の右側を「前方」、左側を「後方」として、以下に説明する。
【００１６】
間仕切パネル装置（Ｐ）は、図１および図３に示すように、オフィス等の部屋（１）の天井部（２）にビス（３）を介して配設した天レール（４）と、床面（５）にビス（６）を介して敷設した地レール（７）との間に立設された、支柱（８）によって建て付けられている。
【００１７】
前記間仕切パネル装置（Ｐ）は、図２に示すように、左右の支柱（８）（８）間に、間仕切パネル（１０）を建て付けることによって構成されている。この間仕切パネル（１０）は、パネル枠体（１１）を備えている。
【００１８】
パネル枠体（１１）は、上下１対の横フレーム（１２）（１３）および左右１対の側フレーム（１４）（１４）により矩形状に枠組みして形成されているとともに、その上下方向の中間部位に左右方向に設けられた中間フレーム（１５）によって、上段の矩形枠（１６）と下段の矩形枠（１７）とに区分されている。
【００１９】
前記中間フレーム（１５）は、図６に示すように、フレーム本体（１５ａ）における前後方向の両端部（１５ｂ）（１５ｂ）を、前記パネル枠体（１１）の前後面（１１ａ）（１１ｂ）とほぼ同一面をなすように延出させることにより、上段部の矩形枠（１６）を前後対称になるようにしてある。
【００２０】
前記パネル枠体（１１）の下段部における矩形枠（１７）には、図２に示すように、その上下方向の中間部位に、片面中間フレーム（１８）が左右方向に横架されている。この片面中間フレーム（１８）は、図９に示すように、フレーム本体（１８ａ）における前後方向の後側の端部（１８ｂ）のみを、パネル枠体（１１）の後面（１１ｂ）とほぼ同一面をなすように延出させてなる前後方向の幅が半分の形状を有するものであり、この片面中間フレーム（１８）によって、下段部の矩形枠（１７）は前後非対称的になっている。
【００２１】
前記パネル枠体（１１）の上段部における矩形枠（１６）の前後両面には、図６に示すように、第１のパネル材（２０）がそれぞれ着脱自在に取り付けられている。
【００２２】
第１のパネル材（２０）は、例えば透明または半透明素材のガラスパネル基材（２１）と外枠材（２２）とで形成されている。外枠材（２２）は、例えばアルミニウムあるいは合成樹脂により製作されており、その前後方向における外側端には、断面コ字形状の保持部（２４）が一体に形成されている。保持部（２４）には、前記ガラスパネル基材（２１）の外周端部（２１ａ）が嵌め込まれて噛込み保持されており、この噛込み保持によって、ガラスパネル基材（２１）と外枠材（２２）とが一体化されている。
【００２３】
外枠材（２２）における基部（２３）は、外周面を形成するとともに、その内側端部（２３ａ）に至るに従って、漸次、前記矩形枠（１６）の内周面から離間する方向に傾斜する傾斜面として形成されている。
【００２４】
このようにして生じた矩形枠（１６）と、外枠材（２２）の基部（２３）との間の空間は、図４に示すように、前記パネル枠体（１１）を支柱（８）に連結する際のタッピングネジ（９）の占有空間として利用される。
【００２５】
外枠材（２２）における基部（２３）の外周面には、外側向きに突出する止着片（２５ａ）が形成されており、止着片（２５ａ）と前記保持部（２４）との間には、係止溝（２６）が形成されている。
【００２６】
係止溝（２６）には、前記矩形枠（１６）の前後両面への第１のパネル材（２０）の取付時に、図３および図６に示すように、パネル枠体（１１）の上部横フレーム（１２）の下面および中間フレーム（１５）の上面における前後に、内側に向けて突出させて形成した係止片（１２ａ）（１２ｂ），（１５ｃ）（１５ｄ）がそれぞれ差し込まれて係止されるとともに、外枠材（２２）の内側端部（２３ａ）が、矩形枠（１６）の前後方向の中央部において、背中合わせの状態で、互いに当接している。この当接によって、第１の各パネル材（２０）を、矩形枠（１６）の前後両面に安定して位置決めすることができる。
【００２７】
支柱（８）を介して左右に隣り合う間仕切パネル（１０）（１０）におけるパネル枠体（１１）（１１）の上段部における矩形枠（１６）（１６）同士は、図４に示すように、左右の各側フレーム（１４）（１４）を、前記支柱（８）にタッピングネジ（９）（９）で締着することにより、支柱（８）を間に介して、両者の連結がなされている。
【００２８】
図５に示すように、前記第１のパネル材（２０）の左右両側面における外枠材（２２）の基部（２３）には、左右方向に向けて係着片（２５ｂ）が突出して形成されており、この係着片（２５ｂ）は、前記矩形枠（１６）における側フレーム（１４）の内面に、左右方向の内側に向けて形成された連設片（１４ａ）に、前後方向の外側から挟持するようにして係止されている。この係止によって、第１のパネル材（２０）を、上段部における矩形枠（１６）の前後両面に安定して位置決めすることができる。
【００２９】
前記外枠材（２２）の基部（２３）に形成された前記止着片（２５ａ）には、頭部（２７ａ）を円弧状に折曲された板バネ等の弾性舌片（２７）が、止めネジ（２８）により止着されている。弾性舌片（２７）の頭部（２７ａ）は、前記矩形枠（１６）における側フレーム（１４）の内面に、上下方向に沿って形成した凹部（２９）に弾性的に係合しており、第１のパネル材（２０）を矩形枠（１６）に取外し自在に係着可能とするとともに、間仕切パネル装置（Ｐ）の建て付け後における第１のパネル材（２０）の取外し交換作業を簡単に行うことができるようになっている。
【００３０】
前記第１のパネル材（２０）においては、ガラスパネル基材（２１）の外周角縁部（２１ｂ）と、外枠材（２２）の保持部（２４）における噛込み角縁部（２４ａ）とが、それぞれ傾斜面に面取り形成されており、これらの傾斜面は、左右方向にオーバーラップするように形成されている。
【００３１】
これら互いに対向する傾斜面は、前後方向に対する傾斜角度について、ガラスパネル基材（２１）の外周角縁部（２１ｂ）側の傾斜角度（θ１）が、保持部（２４）の噛込み角縁部（２４ａ）側の傾斜角度（θ２）よりも小さくなるようにして（θ１＜θ２）、外側に向けて交差するような異なる角度に形成されている。
【００３２】
このようにして、ガラスパネル基材（２１）におけるパネル面（２１ｃ）、すなわち、第１のパネル材（２０）のパネル面と、外枠材（２２）の保持部（２４）における外側端面（２４ｂ）とが、同一平面になるようにするとともに、ガラスパネル基材（２１）の外周角縁部（２１ｂ）を、保持部（２４）の外側端面（２４ｂ）における噛込み角縁部（２４ａ）の先端部（２４ｃ）で直接挟み込むようにして、これらの両者間に隙間が生じることを防止している。
【００３３】
前記支柱（８）は、アルミニウムからなる中空構造を有し、その前後方向における幅寸法（図４において、符号Ｗで示す）を、矩形枠（１６）の前後両面に取り付けられた、１対の第１のパネル材（２０）（２０）におけるパネル面間、すなわち、各ガラスパネル基材（２１）におけるパネル面（２１ｃ）間の厚さ寸法（図４において、符号Ｔで示す）と同一寸法に形成してある。
【００３４】
これにより、支柱（８）の強度を、パネル枠体（１１）の厚さに応じて必要充分な大きさになるようにするとともに、第１のパネル材（２０）のパネル面と、支柱（８）の前後方向における端部（８ａ）とが、同一平面上に位置するようにしてある。
【００３５】
前記パネル枠体（１１）の下段部における矩形枠（１７）の前面には、図７に示すように、第２のパネル材（３０）が着脱自在に取り付けられている。この第２のパネル材（３０）は、前記第１のパネル材（２０）と異なる、例えばクロスパネル基材（３１）からなり、クロスパネル基材（３１）は、バックアッププレート（３２）により、バックアップされて、外枠材（３３）に保持されている。
【００３６】
外枠材（３３）は、例えばアルミニウムあるいは合成樹脂により製作されており、平面視長四辺形の基部（３４）と、この基部（３４）に外側に向けて一体に連設した断面コ字形状の保持部（３５）とで形成されている。
【００３７】
前記外枠材（３３）の保持部（３５）には、図８に示すように、前記クロスパネル基材（３１）の外周端部が嵌め込まれ、クロスパネル基材（３１）は、バックアッププレート（３２）の外周端縁部（３２ａ）を、内側に向けて断面Ｌ字状に屈曲させて、前記基部（３４）の内面にビス（３６）により締着して固定することにより、クロスパネル基材（３１）のパネル面（３１ａ）と、保持部（３５）における外側端面（３５ａ）とが、ほぼ同一平面になるように保持されて、外枠材（３３）に一体に組み付けられている。
【００３８】
前記外枠材（３３）における基部（３４）の外周面には、外側向きに突出する止着片（３４ａ）が形成され、この止着片（３４ａ）と前記保持部（３５）との間には、係止溝（３４ｂ）が形成されている。
【００３９】
係止溝（３４ｂ）には、前記矩形枠（１６）の前後両面への第２のパネル材（３０）の取付時に、図６および図３に示すように、前記中間フレーム（１５）の下面および下部横フレーム（１３）の上面における前部に、内側に向けて突出させて形成した係止片（１５ｅ），（１３ａ）がそれぞれ差込み係止されるようになっている。これにより、第２のパネル材（３０）を、矩形枠（１７）の前面に安定して位置決めすることができる。
【００４０】
前記支柱（８）を介して左右に隣り合う、間仕切パネル（１０）（１０）におけるパネル枠体（１１）（１１）の下段部における矩形枠（１７）（１７）同士は、図７に示すように、左右の各側フレーム（１４）（１４）を前記支柱（８）にタッピングネジ（９）（９）で締着することにより、支柱（８）を介して、両者の連結がなされている。
【００４１】
前記外枠材（３３）の基部（３４）に形成した止着片（３４ａ）には、図８に示すように、前記第１のパネル材（２０）と同様に、頭部（３７ａ）を円弧状に折曲された板バネ等の弾性舌片（３７）が、止めネジ（３８）により止着されている。弾性舌片（３７）の頭部（３７ａ）は、前記側フレーム（１４）の内面に形成した凹部（２９）に弾性的に係合しており、第２のパネル材（３０）を外枠材（３３）に取外し自在に係着可能とするとともに、間仕切パネル装置（Ｐ）の建て付け後における第２のパネル材（３０）の取外し交換作業を簡単に行うことができるようにしている。
【００４２】
前記矩形枠（１６）における側フレーム（１４）の内面に、左右方向の内側に向けて突出させた、前記連設片（１４ａ）には、横孔（１４ｂ）が前後方向に貫設させて形成されている。前記横孔（１４ｂ）には、前記弾性舌片（３７）と共に前記止着片（３４ａ）に止めネジ（３８）により止着した、平面視Ｌ字形状の差込片（３９）が挿入されるようになっている。この挿入によって、第２のパネル材（３０）を矩形枠（１６）に安定して位置決めすることができる。
【００４３】
図２に示すように、前記パネル枠体（１１）の下段部における矩形枠（１７）の後面に、前記片面中間フレーム（１８）により上下に形成される、矩形枠（１９）（１９）には、第３のパネル材（４０）が、それぞれ着脱自在に取り付けられている。
【００４４】
上段部の矩形枠（１９）は、前記両面中間フレーム（１５）と片面中間フレーム（１８）および左右両側フレーム（１４）（１４）により枠組みされて形成されているとともに、下段部の矩形枠（１９）は、片面中間フレーム（１８）と下部横フレーム（１３）および左右両側フレーム（１４）（１４）により枠組みされて形成されている。
【００４５】
前記第３のパネル材（４０）は、上下方向の縦寸法以外、前記第２のパネル（３０）と同一構成を有しており、図６、図９および図３に示すように、クロスパネル基材（４１）が、バックアッププレート（４２）によりバックアップされて、外枠材（４３）に保持されている。
【００４６】
クロスパネル基材（４１）は、外枠材（４３）の基部（４４）に、外側に向けて一体に連設した断面コ字形状の保持部（４５）に嵌め込まれ、かつバックアッププレート（４２）の断面Ｌ字状に内側に向けて屈曲された外周端縁部（４２ａ）を、前記基部（４４）の内面にビス（４６）により締着して固定することにより、クロスパネル基材（４１）のパネル面（４１ａ）と、保持部（４５）の外側端面（４５ａ）とがほぼ同一平面になるように保持されて、外枠材（４３）に一体に組み付けられている。
【００４７】
前記基部（４４）の外周面に、外側向きに突出する止着片（４４ａ）と前記保持部（４５）の内面との間に形成された係止溝（４４ｂ）には、前記上段部における矩形枠（１９）の後面への第３のパネル材（４０）の取付時に、図６および図９に示すように、前記中間フレーム（１５）の下面および片面中間フレーム（１８）の上面における後部に、内側に向けて突出させて形成した係止片（１５ｆ），（１８ｄ）がそれぞれ差し込まれて係止されるようになっている。
【００４８】
これにより、第３のパネル材（４０）を、上段部における矩形枠（１９）の後面に安定して位置決めすることができ、かつ中間フレーム（１５）および片面中間フレーム（１８）の介在によって、第１のパネル材（２０）と、第２のパネル材（３０）または第３のパネル材（４０）との間の間隔（図６および図９において、符号ａで示す）が狭くなり、美観性が高められている。
【００４９】
前記外枠材（４３）の基部（４４）に形成した止着片（４４ａ）には、図７に示すように、板バネ等の弾性舌片（４７）と共に、平面視Ｌ字形状の差込片（４９）が止めネジ（４８）により止着されており、これらの弾性舌片（４７）と差込片（４９）とによる、第３のパネル材（４０）の矩形枠（１９）への係着構造は、図８に示す、前記第２のパネル材（３０）と同様であるため、その説明は省略する。
【００５０】
同様にして、前記下段部における矩形枠（１９）の後面への第３のパネル材（４０）の取付けもまた、図９および図３に示すように、前記片面中間フレーム（１８）の下面および下部横フレーム（１３）の上面における後部に、内側に向けて突出させて形成した係止片（１８ｄ），（１３ｂ）をそれぞれ差し込んで係止がなされている。これにより、第３のパネル材（４０）を、下段部における矩形枠（１９）の後面に安定して位置決めすることができる。
【００５１】
図７に示すように、前記パネル枠体（１１）の下段部における矩形枠（１７）の前面および後面の矩形枠（１９）に、それぞれ取り付けられた第２のパネル材（３０）と第３のパネル材（４０）のパネル面間、すなわち、第２のパネル材（３０）におけるクロスパネル基材（３１）のパネル面（３１ａ）と、第３のパネル材（４０）におけるクロスパネル基材（４１）のパネル面（４１ａ）との間の厚さ寸法（図７において、符号Ｔで示す）は、前記支柱（８）の前後方向における幅寸法（図７において、符号Ｗで示す）と同一寸法に形成されている。
【００５２】
これにより、支柱（８）の強度を、パネル枠体（１１）の厚さに応じて、必要充分な大きさになるようにするとともに、第２および第３のパネル材（３０）（４０）のパネル面と、支柱（８）の前後方向における端部（８ａ）とがほぼ同一平面上に位置するようにしてある。
【００５３】
前記パネル枠体（１１）における下部横フレーム（１３）の下面には、図３に示すように、レベル調整用のアジャスタ機構（５０）が設けられている。このアジャスタ機構（５０）は、前記下部横フレーム（１３）の下面に組み付けたネジ座（５１）に、前記地レール（７）に係合させたベース金具（５２）に回転自在に支持されたアジャスタボルト（５３）を螺合させることにより構成されており、アジャスタボルト（５３）を時計回り、または、反時計回りに回動することにより、パネル枠体（１１）の高さの調整が行われるようになっている。
【００５４】
前記パネル枠体（１１）における下部横フレーム（１３）には、幅木（５４）が前後両面に設けられており、この幅木（５４）は、前記下部横フレーム（１３）と前記床面（５）の地レール（７）との間に形成される隙間を目隠しすることにより、美観性の向上を図ることができるようになっている。
【００５５】
図１０は、本発明の第２実施形態を示し、図６に相当する図面である。第２実施形態においては、図９に示す片面中間フレーム（１８）の１対を前後対称的に組み合わせることにより、中間フレームが構成されている。
【００５６】
図１１は、同じく、本発明の第３実施形態を示す。第３実施形態における中間フレーム（５５）には、ハンギング機能が付与されている。
【００５７】
前記中間フレーム（５５）は、そのフレーム本体（５５ａ）の前後両端部（５５ｂ）（５５ｂ）を、第１のパネル材（２０）、第２のパネル材（３０）、あるいは第３のパネル材（４０）のパネル面とほぼ同一面をなす位置まで延出させてある。
【００５８】
前記各延出された端部（５５ｂ）と、上下に隣接する第１のパネル材（２０）、第２のパネル材（３０）、あるいは第３のパネル材（４０）との間には、所定の間隔（図１１において、符号ｂ１，ｂ２で示す）が形成されているとともに、各端部（５５ｂ）の下面には、係合溝（５６）が、前記パネル枠体（１１）の左右方向に沿って形成されている。
【００５９】
前記中間フレーム（５５）の上面における前後には、内側に向けて突出する係止片（５５ｃ）（５５ｄ）が形成されており、各係止片（５５ｃ）（５５ｄ）は、パネル枠体（１１）の上段部における矩形枠（１６）の前後両面への第１のパネル材（２０）の取付時に、第１のパネル材（２０）における外枠材（２２）の外周面に形成した係止溝（２６）に差し込まれるようになっている。
【００６０】
前記中間フレーム（５５）の下面における前後には、内側に向けて突出する係止片（５５ｅ）（５５ｆ）が形成されており、各係止片（５５ｅ）（５５ｆ）は、前記パネル枠体（１１）の下段部における前面側の矩形枠（１７）および後面側の矩形枠（１９）への前記第２のパネル材（３０）および第３のパネル材（４０）の取付時に、前記第２のパネル材（３０）および第３のパネル材（４０）における外枠材（３３）（４３）の外周面に形成された係止溝（３４ｂ）（４４ｂ）に差し込まれるようになっている。
【００６１】
図１２は、本発明の第４実施形態を示す。前後方向の幅が半分の片面中間フレーム（５７）の後側の端部（５７ｂ）を、パネル枠体（１１）の後面（１１ｂ）とほぼ同一面をなすように配設するとともに、その端部（５７ｂ）の下面に、左右方向に沿って係合溝（５８）を形成してある。
【００６２】
第３実施形態における中間フレーム（５５）または第４実施形態における片面中間フレーム（５７）には、図１３に示すように、オプション部材としての、例えば飾り棚（６０）が、上下に隣接する中間フレーム（５５）の後端部側における第１のパネル材（２０）と第３のパネル材（４０）との間に取り付けられるようになっている。
【００６３】
前記飾り棚（６０）におけるフレーム（６１）の取付端部（６１ａ）を、前記中間フレーム（５５）における後部側の延出端部（５５ｂ）の上面と、第１のパネル材（２０）の下面との間の上部間隔（ｂ１）に挿入する。
【００６４】
一方、前記中間フレーム（５５）における延出端部（５５ｂ）の下面と、第３のパネル材（４０）の上面との間の下部間隔（ｂ２）には、クリップ部材（６２）を挿入して、前記フレーム（６１）の取付端部（６１ａ）と共に前記延出端部（５５ｂ）を上下から挾持するとともに、前記クリップ部材（６２）の挿入端部（６２ａ）に、上方に向けて突出させて形成した係止突起（６３）を、前記延出端部（５５ｂ）の下面に形成した前記係合溝（５６）に係合させて、フレーム（６１）の取付端部（６１ａ）とクリップ部材（６２）とを化粧ネジ（６４）により締着して固定することにより、第１のパネル材（２０）と第３のパネル材（４０）との間に、前記飾り棚（６０）を保持しうるようになっている。
【００６５】
図１４は、本発明の第５実施形態を示す。前記第４実施形態における片面中間フレーム（５７）の１対を前後対称的に組み合わせることにより、中間フレームを構成している。
【００６６】
図１５は、本発明の第６実施形態を示す。図９に示す第１実施形態における片面中間フレーム（１８）と、図１２に示す第４実施形態における片面中間フレーム（５７）とを前後に組み合わせることにより、中間フレームを構成している。
【００６７】
なお、本実施形態においては、パネル材のパネル基材として、ガラスパネルおよびクロスパネルを例に説明したが、その他に、スチールパネルまたはツキ板パネル、あるいは、これらを組み合わせて用いることも可能である。
【００６８】
【発明の効果】
本発明によると、次のような効果が奏せられる。
（１）  請求項１記載の発明によれば、間仕切パネルの建て付けを強度的に堅固にすることができるとともに、建て付け後におけるパネル材の取外し交換作業を容易に行うことができる。
【００６９】
（２）  請求項２記載の発明によれば、支柱の前後方向における幅寸法を、矩形枠の前後両面に取り付けた１対のパネル材におけるパネル面間の厚さ寸法に相応して大きくすることができるため、建て付け状態を強度的に堅固にすることができ、かつ間仕切パネルのパネル面と支柱の外側端面とを同一平面上に位置させることができるため、美観の向上を図ることができる。
【００７０】
（３）  請求項３記載の発明によれば、フラット感に欠けて美観を損なうことのない間仕切パネルを構成するパネル枠体における各矩形枠を容易に形成することができる。
【００７１】
（４）  請求項４記載の発明によれば、フラット感に欠けて美観を損なうことのない間仕切パネルを構成するパネル枠体における各矩形枠を容易に形成することができる。
【００７２】
（５）  請求項５記載の発明によれば、美観の向上を図ることができるとともに、オプション部材の取付けを容易に行なうことができる。
【００７３】
（６）  請求項６記載の発明によれば、オプション部材の脱落を防止することができる。
【図面の簡単な説明】
【図１】本発明の第１実施形態の間仕切パネル装置による室内の間仕切状態を示す斜視図である。
【図２】図１に示す間仕切パネル装置の要部分解斜視図である。
【図３】図１におけるＩＩＩ−ＩＩＩ線拡大縦断面図である。
【図４】図１におけるＩＶ−ＩＶ線拡大横断面図である。
【図５】図４における要部拡大横断面図である。
【図６】図１におけるＶＩ−ＶＩ線要部拡大縦断面図である。
【図７】図１におけるＶＩＩ−ＶＩＩ線拡大横断面図である。
【図８】図７における要部拡大横断面図である。
【図９】図１におけるＩＸ−ＩＸ線要部拡大縦断面図である。
【図１０】本発明の第２実施形態を示す要部拡大縦断面図である。
【図１１】同じく、本発明の第３実施形態を示す要部拡大縦断面図である。
【図１２】同じく、本発明の第４実施形態を示す要部拡大縦断面図である。
【図１３】オプション部材の取付状態を示す要部拡大縦断面図である。
【図１４】本発明の第５実施形態を示す要部拡大縦断面図である。
【図１５】本発明の第６実施形態を示す要部拡大縦断面図である。
【符号の説明】
（Ｐ）  間仕切パネル装置
（１）  部屋
（２）  天井部
（３）  ビス
（４）  天レール
（５）  床面
（６）  ビス
（７）  地レール
（８）  支柱（スタッド）
（９）  タッピングネジ
（１０）  間仕切パネル
（１１）  パネル枠体
（１１ａ）  前面
（１１ｂ）  後面
（１２）  上部横フレーム
（１２ａ）（１２ｂ）  係止片
（１３）  下部横フレーム
（１３ａ）（１３ｂ）  係止片
（１４）  側フレーム
（１４ａ）  連設片
（１４ｂ）  横孔
（１５）  中間フレーム
（１５ａ）  フレーム本体
（１５ｂ）  端部
（１５ｃ）〜（１５ｆ）  係止片
（１６）（１７）  矩形枠
（１８）  片面中間フレーム
（１８ａ）  フレーム基部
（１８ｂ）  端部
（１８ｃ）（１８ｄ）  係止片
（１９）  矩形枠
（２０）  第１のパネル材
（２１）  ガラスパネル基材
（２１ａ）  外周端部
（２１ｂ）  外周角縁部（傾斜面）
（２１ｃ）  パネル面
（２２）  外枠材
（２３）  基部
（２３ａ）  内側端部
（２４）  保持部
（２４ａ）  噛込み角縁部（傾斜面）
（２４ｂ）  外側端面
（２４ｃ）  先端部
（２５ａ）  止着片
（２５ｂ）  係着片
（２６）  係止溝
（２７）  弾性舌片
（２７ａ）  頭部
（２８）  止めネジ
（２９）  凹部
（３０）  第２のパネル材
（３１）  クロスパネル基材
（３１ａ）  パネル面
（３２）  バックアッププレート
（３２ａ）  外周端縁部
（３３）  外枠材
（３４）  基部
（３４ａ）  止着片
（３４ｂ）  係止溝
（３５）  保持部
（３５ａ）  外側端面
（３６）  ビス
（３７）  弾性舌片
（３７ａ）  頭部
（３８）  止めネジ
（３９）  差込片
（４０）  第３のパネル材
（４１）  クロスパネル基材
（４１ａ）  パネル面
（４２）  バックアッププレート
（４２ａ）  外周端縁部
（４３）  外枠材
（４４）  基部
（４４ａ）  止着片
（４４ｂ）  係止溝
（４５）  保持部
（４５ａ）  外側端面
（４６）  ビス
（４７）  弾性舌片
（４８）  止めネジ
（４９）  差込片
（５０）  アジャスタ機構
（５１）  ネジ座
（５２）  ベース金具
（５３）  アジャスタボルト
（５４）  巾木
（５５）  両面中間フレーム
（５５ａ）  フレーム本体
（５５ｂ）  端部
（５５ｃ）〜（５５ｆ）  係止片
（５６）  係合溝
（５７）  片面中間フレーム
（５７ａ）  フレーム本体
（５７ｂ）  端部
（５７ｃ）（５７ｄ）  係止片
（５８）  係合溝
（６０）  飾り棚（オプション部材）
（６１）  フレーム
（６１ａ）  取付端部
（６２）  クリップ部材
（６２ａ）  端部
（６３）  係止突起
（６４）  化粧ネジ
【図１】
2005036430.tif 000003
【図２】
2005036430.tif 000004
【図３】
2005036430.tif 000005
【図４】
2005036430.tif 000006
【図５】
2005036430.tif 000007
【図６】
2005036430.tif 000008
【図７】
2005036430.tif 000009
【図８】
2005036430.tif 000010
【図９】
2005036430.tif 000011
【図１０】
2005036430.tif 000012
【図１１】
2005036430.tif 000013
【図１２】
2005036430.tif 000014
【図１３】
2005036430.tif 000015
【図１４】
2005036430.tif 000016
【図１５】
2005036430.tif 000017